(57)【要約】      （修正有）【課題】本発明は、挿入方向または挿入方向と反対の方向に沿って機械的な力を吸収することに特に適し、製造公差にできる限り敏感でない改良された電気コネクタを提供する。【解決手段】電気コネクタ２はコンパチブルコネクタ３に電気的に及び機械的に接続するコーディングハウジング４を含み、また電気アセンブリ５に電気的に及び機械的に接続するプラグボディ６を含み、コンパチブルコネクタは、挿入方向Ａに沿ってコーディングハウジングに接続されることができ、コーディングハウジングとプラグボディは、機械的接続装置８を有する。機械的接続装置は、コーディングハウジングとプラグボディを挿入方向Ａにおいてインターロック方式にて互いに接続するように設計され、機械的接続装置は、挿入方向Ａと異なる組み立て移動Ｂを予め指定することにより、コーディングハウジングとプラグボディを互いに接続させる電気コネクタである。【選択図】図１
2019071272.tif 000002
【特許請求の範囲】
【請求項１】
コンパチブルコネクタに電気的に及び機械的に接続するコーディングハウジングを含み、また電気アセンブリに電気的に及び機械的に接続するプラグボディを含み、前記コンパチブルコネクタは、挿入方向に沿ってコーディングハウジングに接続されることができ、前記コーディングハウジングと前記プラグボディは機械的接続装置を有する電気コネクタであって、
前記機械的接続装置は、前記コーディングハウジングと前記プラグボディを前記挿入方向においてインターロック方式にて互いに接続するように設計され、前記機械的接続装置は、前記挿入方向と異なる組み立て移動を予め指定することにより、前記コーディングハウジングと前記プラグボディを互いに接続させる、電気コネクタ。
【請求項２】
前記機械的接続装置は、レールシステムを含み、前記コーディングハウジングと前記プラグボディは、それぞれ少なくとも一つのガイドレールを有し、これらのガイドレールは互いに対応し、また共に前記レールシステムを形成する、
請求項１に記載の電気コネクタ。
【請求項３】
平行に、かつ反対側において延びた二つのガイドレールは、それぞれ前記コーディングハウジングと前記プラグボディに配置される、
請求項２に記載の電気コネクタ。
【請求項４】
前記機械的接続装置は、前記組み立て移動のために、前記プラグボディ上の前記コーディングハウジングの端部位置を決めるための端部ストッパーを含む、
請求項１から３のいずれか一項に記載の電気コネクタ。
【請求項５】
前記組み立て移動は、組み立て角度に沿って行い、前記挿入方向に対して、前記組み立て角度は３０°から１５０°であり、好ましくは、４５°から１３５°であり、特に好ましくは、８０°から１００°であり、特に好ましくは、９０°である、
請求項１から４のいずれか一項に記載の電気コネクタ。
【請求項６】
少なくとも一つのコンタクトボディに用いられる凹部が、前記コーディングハウジングと前記プラグボディに設置されることにより、前記コーディングハウジングを介して前記少なくとも一つのコンタクトボディを前記挿入方向に沿って前記プラグボディに導入し、前記コンタクトボディと前記凹部が提供されることにより、前記コーディングハウジングと前記プラグボディが前記コンタクトボディの導入を介してそれぞれ互いに対する位置に固定される、
請求項１から５のいずれか一項に記載の電気コネクタ。
【請求項７】
前記プラグボディは、一つまたは複数の内部導体部を受け入れるように設計され、前記少なくとも一つのコンタクトボディは、管状形状の外部導体のように、また前記複数の内部導体部中の少なくとも一つを受け入れるように設計される、
請求項６に記載の電気コネクタ。
【請求項８】
前記コーディングハウジング及び/または前記プラグボディは、一つから十個のコンタクトボディを受け入れるように設計され、好ましくは、二つから六つのコンタクトボディを受け入れるように設計され、さらに特に好ましくは、四つのコンタクトボディを受け入れるように設計される、
請求項６または７に記載の電気コネクタ。
【請求項９】
前記プラグボディは、金属製であり、好ましくは、ダイカスト亜鉛部であり、また前記少なくとも一つのコンタクトボディと導電接続する、
請求項６から８のいずれか一項に記載の電気コネクタ。
【請求項１０】
前記プラグボディは、電気アセンブリに電気的に及び機械的に接続するように設計され、前記電気アセンブリは、プリント回路基板、電気ケーブル、アダプタ部、またはデバイスハウジングとして設計される、
請求項１から９のいずれか一項に記載の電気コネクタ。
【請求項１１】
前記コーディングハウジングは、前記コンパチブルコネクタとラッチ接続するラッチ手段を有する、
請求項１から１０のいずれか一項に記載の電気コネクタ。
【請求項１２】
電気コネクタがコンパチブルコネクタに電気的に及び機械的に接続するコーディングハウジングと、電気アセンブリに電気的に及び機械的に接続するプラグボディを有し、一つの組み立てステップにおいて、前記コーディングハウジングは、前記プラグボディに機械的に接続する電気コネクタを組み立てる方法であって、
前記コーディングハウジングと前記プラグボディとの間に前記機械的に接続を確立するための組み立てステップは、前記プラグボディに対する前記コーディングハウジングの組み立て移動を含み、前記組み立て移動を介して、前記コーディングハウジングと前記プラグボディは、前記コンパチブルコネクタの挿入方向においてインターロック方式にて互いに接続する、電気コネクタを組み立てる方法。
【請求項１３】
前記組み立て移動は、前記コーディングハウジングを前記プラグボディに押し出すステップ及び/または前記コーディングハウジングを前記プラグボディに対して回転させるステップを含む、
請求項１２に記載の電気コネクタを組み立てる方法。
【請求項１４】
レールシステムを使用して、前記コーディングハウジングが前記プラグボディに押し出され、前記コーディングハウジングと前記プラグボディとは、それぞれ少なくとも一つのガイドレールを有し、前記ガイドレールは互いに対応する、
請求項１３に記載の電気コネクタを組み立てる方法。
【請求項１５】
前記押し出し操作は、組み立て角度に沿って行い、前記挿入方向に対して、前記組み立て角度は、３０°から１５０°であり、好ましくは、４５°から１３５°であり、特に好ましくは、８０°から１００°であり、さらに特に好ましくは９０°である、
請求項１３または１４に記載の電気コネクタを組み立てる方法。
【請求項１６】
他の組み立てステップにおいて、少なくとも一つのコンタクトボディは、前記挿入方向において、前記コーディングハウジング及び前記プラグボディ中の対応する凹部を介して導入されることにより、前記コーディングハウジングと前記プラグボディとの間の相対位置が固定されるようにする、
請求項１２から１５のいずれか一項に記載の電気コネクタを組み立てる方法。
【請求項１７】
前記少なくとも一つのコンタクトボディは、前記プラグボディの凹部にプレス、ハンダ付け、圧接、溶接及び/または接着される、
請求項１６に記載の電気コネクタを組み立てる方法。
【請求項１８】
更なる組み立てステップにおいて、少なくとも一つの内部導体部は、前記プラグボディを通り、かつ前記少なくとも一つのコンタクトボディによって受け入れる、
請求項１６または１７に記載の電気コネクタを組み立てる方法。
【請求項１９】
コネクタシステムであって、
請求項１から１１のいずれか一項に記載の電気コネクタと、前記電気コネクタのコーディングハウジングに電気的に及び機械的に接続するコンパチブルコネクタと、前記電気コネクタのプラグボディに電気的に及び機械的に接続する電気アセンブリとを含む、コネクタシステム。
【発明の詳細な説明】
【技術分野】
【０００１】
請求項１の序文によると、本発明は、電気コネクタに関し、上記電気コネクタは、コンパチブルコネクタに電気的に及び機械的に接続するコーディングハウジングと、電気アセンブリに電気的に及び機械的に接続するプラグボディを含む。
【０００２】
請求項１２の序文によると、本発明は、また電気コネクタを組み立てる方法に関する。上記電気コネクタは、コンパチブルコネクタに電気的に及び機械的に接続するコーディングハウジングと、電気アセンブリに電気的に及び機械的に接続するプラグボディを有する。
【０００３】
本発明は、また、電気コネクタ、コンパチブルコネクタ及び電気アセンブリを含むコネクタシステムに関する。
【背景技術】
【０００４】
このような汎用タイプのコネクタは、ＤＥ２０２００８０１４５４１Ｕ１から公知である。
【０００５】
コネクタは、対応する互換性のある、または相補的な他のコネクタとの電気的及び機械的な接続を確立する。コネクタは、プラグ、ソケット、カプラ、またはアダプタであってよい。本発明の範囲内で使用される用語「コネクタ」は、そのすべての変形例を表す。
【０００６】
通常、コネクタは、プリント回路基板（ＰＣＢ）に固定され、デバイスハウジングまたは電気ケーブルのインターフェースとして、対応する電気アセンブリの電気信号（データ及び/または電源）に容易にアクセスするようにする。そのため、通常、コネクタは、例えば、プリント回路基板のような電気アセンブリに電気的に及び機械的に接続するプラグボディを有する。コーディングハウジングは、基本的にコンパチブルコネクタに接続し、通常プラグボディに隣接する。従って、コーディングハウジングは、コンパチブルコネクタのインターフェースを構成し、また、そのために、例えば、電気コンタクトボディ及び/または信号導体/内部導体と接地導体/外部導体の配置と数、及びそれらの機械的なコーディングに応じてコンパチブルコネクタにマッチングされる。
【０００７】
原則として、コネクタは、機械的に堅牢に、長寿命を有するように設計されるべきである。具体的に、コネクタは、複数回の挿入と除去操作、または挿入方向または挿入方向と反対の方向に作用する力、挿入方向に対して直交して作用する力とねじり力によって損傷することなく、それらを耐えることができなければならない。なお、主にコネクタが無線周波数技術に適用される場合、コネクタは、十分に高い電磁シールド、低い接触抵抗、及び耐震接触接続を含む良好な電気的性能を提供するべきである。
【０００８】
実践によって知られている電気コネクタの組み立て方法によって、コンパチブルコネクタの挿入方向でプラグボディに押し出され、次に固定されるコーディングハウジングを提供する。二つの部材の固定は、プレス操作にて実行されることができる。挿入方向における組み立て方法は、自動化プロセスに特に有利に使用することができるが、欠点も示す。
【０００９】
コーディングハウジングは、通常、ラッチ接続にコンパチブルコネクタにラッチ接続されるラッチ手段を有し、特に、挿入方向または挿入方向と反対の方向の力にてコーディングハウジングとプラグボディとの間のプレス式接続が苛酷な負荷を受けるようにする。なお、電気的接続の公差チェーンが比較的長いため、各部材の製造は複雑であり、上記公差チェーンは、コーディングハウジングのコンタクトボディからコーディングハウジングを経てプラグボディまで延び、最後に電気アセンブリにいたる。従って、必要な部材公差に従うことは、生産をより困難にし、最終的にコネクタの最大限に達成可能データ転送レートの制限要素になる可能性がある。
【００１０】
ＤＥ２０２００８０１４５４１Ｕ１に示される汎用タイプのように、コーディングハウジングを、プラグボディに押し出した後に、対応するラッチ手段によりコーディングハウジングを固定することも知られている。したがって、コーディングハウジングとプラグボディとの間の接続が負荷を耐える牽引力は、通常、プラグボディを介して電気アセンブリに容易に伝送されることができる。しかし、このようなコネクタの必要な公差に従うことは依然として容易ではない。
【発明の概要】
【発明が解決しようとする課題】
【００１１】
本発明のいくつかの実施例の目的は、挿入方向または挿入方向と反対の方向に沿って機械的な力を吸収することに特に適し、製造公差にできる限り敏感でないである改良された電気コネクタを提供することである。
【００１２】
本発明のいくつかの実施例の目的は、電気コネクタを組み立てる方法を提供し、これによって、特に、公差に敏感でなく、機械的に堅牢な電気コネクタを提供することである。
【００１３】
上記目的は、請求項１の電気コネクタと請求項１２の電気コネクタを組み立てる方法によって実現される。
【００１４】
本発明のいくつかの実施例の目的は、従来技術に対して改良した電気コネクタを含むコネクタシステムを提供することである。
【００１５】
上記目的は、請求項１９の特徴によって達成される。従属請求項は、本発明の有利な実施例及び変形形態に関する。
【００１６】
本発明に係る電気コネクタは、コンパチブルコネクタに電気的に及び機械的に接続するコーディングハウジングを含み、また電気アセンブリに電気的に及び機械的に接続するプラグボディを含み、ここで、コンパチブルコネクタは、挿入方向に沿ってコーディングハウジングに接続されることができる。
【００１７】
コーディングハウジングは、コンパチブルコネクタを挿入方向に沿ってコーディングハウジングに電気的に及び機械的に接続できるように設計される。
【００１８】
従って、コーディングハウジングは、コンパチブルコネクタまたはコンパチブルコネクタの対応するコーディングハウジングに機械的なコーディングを提供することができる。従って、本発明に係るコーディングハウジングは、本発明の電気コネクタのプラグ側部分を構成する。
【００１９】
好ましくは、コーディングハウジングは、プラスチックまたは非導電性材料から形成される。
【００２０】
通常、コンパチブルコネクタの挿入方向は、電気コネクタのコーディングハウジングの中心軸若しくは長手方向軸に沿って、または少なくとも平行に延びる。
【００２１】
本発明に係るプラグボディが接続できる電気アセンブリは、例えば、電気ケーブル、アダプタ部、デバイスハウジング、または、好ましくは電気プリント回路基板であることができる。原則として、本発明は、特定の電気アセンブリによって使用することに限定されると解釈されるべきではない。簡略化の目的のために、以下では、実質的にプリント回路基板またはプリント回路コネクタを参照して本発明を説明し、そのプラグボディは、プリント回路基板として設計された電気アセンブリに電気的にかつ機械的に接続される。言うまでもなく、それは本発明を限定するものと解釈されるべきではない。
【００２２】
本発明によれば、コーディングハウジングとプラグボディは、機械的接続装置を有する。この場合、接続装置は、挿入方向に沿ってインターロック方式にてコーディングハウジングとプラグボディを互いに接続させるように設計され、ここで、接続装置は、挿入方向と異なる組み立て移動を予め指定することにより、コーディングハウジングとプラグボディを互いに接続させる。
【００２３】
従って、コーディングハウジングは、挿入方向に沿ってプラグボディに装着されない。これにより、挿入方向において有利にインターロック接続を提供することができる。
【００２４】
コーディングハウジングは、組み立て経路に沿ってプラグボディに装着することができ、上記組み立て経路は、コンパチブルコネクタがコーディングハウジングに挿入する間に従わなくてはならない経路とは異なる。
【００２５】
コーディングハウジングとプラグボディの接続装置は、少なくとも挿入方向にてインターロック接続を提供するため、コーディングハウジングは、挿入方向における一つの自由度に沿ってプラグボディに対して移動することができなくなる。コーディングハウジングとプラグボディは、挿入方向においてインターロック方式または定められた方式にて互いに接続される。この場合、接続装置の考えられる公差または緩みを無視することができ、またインターロック接続に破壊性の影響を及ぼさない。本発明の一つの特別な利点は、インターロックの方法（挿入方向に沿って）でコーディングハウジングをプラグボディに接続することに対しては、追加のラッチ手段は必要がないことである。
【００２６】
本発明に係る接続装置によれば、特にコーディングハウジングに挿入されたコンパチブルコネクタを引っ張る時に生じる牽引力、及び場合によって挿入方向に対する横方向の力の成分もプラグボディに伝達することができる。プラグボディ自体において、定められた方式にて電気アセンブリに接続される。従って、電気アセンブリを介して重大な牽引力を有利に吸収することができる。本発明による解決策は、牽引力が発生した時にコーディングハウジングとプラグボディとの間の接続が損傷または解放されることを特に有利に防止する。
【００２７】
コーディングハウジングとプラグボディとの間の接続は、特に従来技術の力係止接続と比較して、挿入方向または挿入方向と反対の方向で並外れて堅牢である。
【００２８】
本発明の改良形態において、接続装置は、レールシステムを含み、ここで、コーディングハウジングとプラグボディは、それぞれ少なくとも一つのガイドレールを有し、これらのガイドレールは互いに対応し、かつ共にレールシステムを形成するよう提供することができる。
【００２９】
レールシステム以外に、コーディングハウジングがプラグボディに接続された時に少なくとも挿入方向の自由度を遮断することを確実にする任意の所望のガイド部材を提供することができる。
【００３０】
レールシステムは、押し込み式組み立て移動を介してコーディングハウジングをプラグボディにはめ込むのに特に有利であることが判明しており、ここで、本発明によれば、組み立て移動は、コンパチブルコネクタの挿入方向と異なる。
【００３１】
レールシステムに基づいて、他のインターロック接続を、挿入方向に対して直交して選択的に設置することができ、それによりコーディングハウジングとプラグボディとの間の二つの平行移動の自由度さえも遮断することができる。
【００３２】
代替案または追加案として、バヨネット式組み立て形式の接続装置を設置することもでき、それにより回転する組み立て移動を介してコーディングハウジングをプラグボディにはめ込むことができる。しかし、組み立てを簡単にする目的のために、レールシステム形式の接続装置が好ましい。
【００３３】
一つの改良形態において、平行にかつ反対側において延びた二つのガイドレールが、それぞれコーディングハウジングとプラグボディに配置されるように設置されることができる。
【００３４】
原則として、コーディングハウジングとプラグボディに任意の所望の数のガイドレールを設置することができ、特に、コーディングハウジングとプラグボディにそれぞれ単一のガイドレールのみを設置することができる。
【００３５】
しかし、少なくとも二つのガイドレールにて特に良好なガイドを実現することができ、ガイドレールは、それぞれコーディングハウジングとプラグボディで平行に延びる。この場合、互いに平行に延びたガイドレールをできる限り遠く離隔させ、特に、コーディングハウジングの一側面の反対の二つの端部に二つのガイドレールを設置し、プラグボディの一側面の反対の二つの端部に二つの対応するガイドレールを設置することが特に有利である（しかし、必ずしも必要ではない）。従って、好ましくは、平行に延びたガイドレールは、コーディングハウジングとプラグボディの組合せようとする側面の端部/縁部に設置される。
【００３６】
ガイドレールは、例えば、まず（コーディングハウジングまたはプラグボディにおいて）グルーヴ（ｇｒｏｏｖｅ）を介して、次に（プラグボディまたはコーディングハウジングにおいて）ウェブ（ｗｅｂ）を介して互いに対応され、ウェブはグルーヴの後ろに係合することができる。代替案または追加案として、レールシステムは、コーディングハウジングまたはプラグボディのクランプ状の設計によって実現されることができ、それにより対応するマッチング部材を直接にガイドすることができる。
【００３７】
本発明の改良形態において、組み立て移動のためにプラグボディ上のコーディングハウジングの端部位置を決めるための端部ストッパーを含む接続装置を提供することができる。
【００３８】
組み立て過程において、特に、可能性のある更なる組み立てステップにおいて、コーディングハウジングとプラグボディは互いの方向に対して、特に有利には端部ストッパーを使用して実現することができる。端部ストッパーは、好ましくは、コーディングハウジングを意図された端部位置までプラグボディに押し出すことができるようにすることができる。従って、更なるインターロック接続を提供することができる。従って、レールシステムと組み合わせて、押し出し操作後、コーディングハウジングとプラグボディとの間に一つの平行移動の自由度のみが保持されるため、押し込み方向と反対のプラグボディ上のコーディングハウジングのみの移動が可能である。
【００３９】
本発明の一つの改良形態において、組み立て移動は、組み立て角度に沿って行い、ここで、組み立て角度は、挿入方向に対して３０°から１５０°であり、好ましくは、４５°から１３５°であり、特に好ましくは、８０°から１００°であり、さらに特に好ましくは、９０°であるように決めることができる。
【００４０】
例えば、レールシステムに沿った押し出し操作のような組み立て移動は、コンパチブルコネクタの挿入方向に対して直交するかまたは少なくとも近似的に直交するように適している。挿入方向に対して直交または９０°の向きのレールシステムを使用する場合、挿入方向の特に適切なインターロック接続が自然に発生する可能性がある。
【００４１】
本発明の改良形態において、少なくとも一つのコンタクトボディの凹部が、コーディングハウジングとプラグボディに設置され得ることにより、コーディングハウジングを介して少なくとも一つのコンタクトボディを挿入方向に沿ってプラグボディに導入するようにし、ここで、コンタクトボディと凹部が提供されて、コーディングハウジングとプラグボディをコンタクトボディの導入によってそれぞれ互いに対する位置に固定されるようにする。
【００４２】
少なくとも一つのコンタクトボディは、コーディングハウジングがプラグボディ上で移動できず、またプラグボディから除去できないように、コーディングハウジングまたはプラグボディの凹部に配置されるか、好ましくはクランプされ得る。
【００４３】
コンタクトボディは、例えば、内部導体または信号導体として、または本発明の電気コネクタの外部導体または接地導体として使用される任意の所望の電気導体であることができる。
【００４４】
従って、コーディングハウジングは、プラグボディの位置決めは、少なくとも一つのコンタクトボディによって限定されることができる。
【００４５】
原則として、コンタクトボディは、必ずしも挿入方向に沿って導入する必要はなく、組み立て移動に対して３０°から１５０°、好ましくは、４５°から１３５°、また特に好ましくは、８０°から１００°の角度で導入することができる。しかし、角度は、さらに特に好ましくは、９０°であり、また挿入方向に沿って延びる。
【００４６】
コンタクトボディとコンタクトボディの対応する凹部とは、任意の所望の形状を有することができ、特に、少なくとも一つのコンタクトボディは、円形、長方形（特に正方形）または任意の他の形状の断面を有することができる。コンタクトボディは、中実または中空構造、特に管状形状であってもよく、コンタクトスリーブと呼ぶこともできる。
【００４７】
接続装置は、挿入方向にインターロック接続を提供し、少なくとも挿入方向の平行移動の自由度を遮断するため、少なくとも一つのコンタクトボディを挿入方向に導入することによって残っているすべての自由度を遮断することができる。従って、コーディングハウジングとプラグボディは、コンタクトボディの導入後、全ての空間方向にインターロック方式にて互いに接続されることが好ましい。
【００４８】
コーディングハウジングとプラグボディとの間の相対位置を固定する以外に、少なくとも一つのコンタクトボディの導入のため、コンタクトボディはプラグボディに対する最適な方向付けもなされることができる。少なくとも一つのコンタクトボディは、コーディングハウジングの凹部を通過することによってプラグボディに直接に電気的に及び機械的に接続されるため、電気コネクタの公差チェーンが大幅に改善されることができる。結局、電気コネクタの製造期間に特別な手段を講ずる必要なく、インターフェースと本発明による電気コネクタにおける狭い公差を保証することができる。従って、電気コネクタの製造は特に経済的であり得る。
【００４９】
プラグボディ内に少なくとも一つのコンタクトボディのための接触端部ストッパーを設置することができる。代替案または追加案として、凹部またはコンタクトボディの凹部がプラグボディに対応する凹部より大きい直径を有する場合、押し込み操作のためのストッパーを形成するように、少なくとも一つのコンタクトボディは、好ましくはプラグボディの方向に徐々に減少される断面を有することができる。
【００５０】
一つの改良形態において、プラグボディは、一つまたは複数の内部導体部を受け入れるように設計され、ここで、少なくとも一つのコンタクトボディは、管状形状の外部導体のように、また複数の内部導体部中の少なくとも一つを受け入れるように設計されることができる。
【００５１】
従って、一つまたは複数の内部導体の少なくとも一つの同軸線または一つのシールド（ｓｈｉｅｌｄ）は、コンタクトボディによって提供されることが有利であり、コンタクトボディは、電気コネクタ内で外部導体として設計される。
【００５２】
一つの改良形態において、さらに、コーディングハウジング及び/またはプラグボディは、一つから十個のコンタクトボディを受け入れるように設計され、好ましくは、二つから六つのコンタクトボディを受け入れるように設計され、さらに特に好ましくは、四つのコンタクトボディを受け入れるように設計されることができる。
【００５３】
特に、コンタクトボディが対応する数の内部導体を受け入れるための管状形状の外部導体として設計される場合、一つのコンタクトボディ、二つのコンタクトボディ、または四つのコンタクトボディに有利に用いることができる。
【００５４】
一つの改良形態において、また、プラグボディは、金属製であり、好ましくは、ダイカスト亜鉛部材であり、また少なくとも一つのコンタクトボディと導電接続することができる。
【００５５】
特に、少なくとも一つのコンタクトボディが外部導体として使用される場合、金属として設計されたプラグボディは、すべてのコンタクトボディとの同時接触するために、及びプラグボディを通る内部導体部を電磁的遮蔽するために特に有利である。
【００５６】
本発明の一つの改良形態において、上述したように、プラグボディは、電気アセンブリに電気的に及び機械的に接続するように設計され、電気アセンブリは、プリント回路基板、電気ケーブル、アダプタ部、またはデバイスハウジングとして設計されることができる。
【００５７】
アダプタ部は、特に、コンパチブルコネクタとは異なる機械的なコーディングまたは電気的配置を有するアダプタコーディングハウジングを意味すると理解され、対応する電気コネクタがその中に挿入され得る。この場合、アダプタコーディングハウジングは、本発明による電気コネクタのプラグボディにさらなる他の機械的接続装置によって接続することもでき、その目的のために、例えば他のレールシステムを提供することができる。
【００５８】
本発明の改良形態において、最終的に、コーディングハウジングは、コンパチブルコネクタとラッチ接続するためのラッチ手段を有することができる。
【００５９】
それにより、コンパチブルコネクタを引き抜くことにつながる、挿入方向と反対の望ましくない牽引力を防止することができ、本発明による接続装置を介してコーディングハウジングに伝送しかつプラグボディに直接に伝送するようにし、従って、電気アセンブリに伝送されて捕捉することができる。
【００６０】
プラグボディ及び/またはコーディングハウジングは、直線状または傾斜状に設計することができるため、本発明は、直線状または傾斜状の電気コネクタに同様に使用されることができる。本発明の意味における唯一の重要な要素は、コーディングハウジングとプラグボディとのアセンブリの組み立て移動が、コンパチブルコネクタの挿入方向とは異なることである。
【００６１】
本発明は、所望に応じてフィッタによって均一なプラグボディに接続され得るコーディングハウジングを含むモジュール構造セットを提供するためにも有利に使用され得る。従って、フィッタは、同一の、場合によってはさらにプリインストールされたプラグボディを有する電気コネクタの異なる構成または変形例を非常に容易に作成することができる。
【００６２】
少なくとも一つの内部導体部以外に、内部導体部を囲む絶縁材料層が少なくともプラグボディに導入され、少なくとも一つの内部導体部を適所に保持し、他の内部導体部及び/または接地ラインと短絡されることを防止することが提供されてもよい。
【００６３】
本発明は、特定のタイプの電気コネクタまたは特定のコネクタに限定されず、ここで、特に無線周波数（Ｒａｄｉｏ Ｆｒｅｑｕｅｎｃｙ：ＲＦ）ケーブルの製造に適用可能である。この場合、電気コネクタは、好ましくは、ＲＦコネクタ、特にＰＬコネクタ、ＢＮＣコネクタ、ＴＮＣコネクタ、ＳＭＢＡ（ＦＡＫＲＡ）コネクタ、Ｎコネクタ、７/１６コネクタ、ＳＭＡコネクタ、ＳＭＢコネクタ、ＳＭＳコネクタ、ＳＭＣコネクタ、ＳＭＰコネクタ、ＢＭＳコネクタ、ＨＦＭコネクタ、ＨＳＤコネクタ、ＢＭＫコネクタ、マイクロ同軸コネクタまたはＭａｋａｘコネクタとして設計することができる。
【００６４】
本発明は、また電気コネクタを組み立てる方法に関し、電気コネクタは、コンパチブルコネクタに電気的に及び機械的に接続するためのコーディングハウジングと、電気アセンブリに電気的に及び機械的に接続するためのプラグボディを有し、ここで、一つの組み立てステップにおいて、コーディングハウジングは、プラグボディに機械的に接続する。
【００６５】
本発明による方法において、コーディングハウジングとプラグボディとの間に機械的接続を確立するための組み立てステップは、プラグボディに対するコーディングハウジングの組み立て移動を含み、組み立て移動を介して、コーディングハウジングとプラグボディは、コンパチブルコネクタの挿入方向においてインターロック方式にて互いに接続する。
【００６６】
本発明による電気コネクタに関連して既に説明された特徴は、当然、本発明による方法及び後述するコネクタシステムのために有利に実装されることができ、逆もまた同様である。なお、本発明による電気コネクタに関連して既に言及した利点は、本発明による方法およびコネクタシステムに関連すると理解することもでき、逆も同様である。
【００６７】
本発明による方法の改良形態において、組み立て移動は、コーディングハウジングをプラグボディ上に押し込むこと、及び/又はコーディングハウジングをプラグボディに対して回転させることを含むことができる。
【００６８】
方法の改良形態において、特に、レールシステムを使用して、コーディングハウジングをプラグボディに押し出し、ここで、コーディングハウジングとプラグボディは、それぞれ少なくとも一つのガイドレールを有し、ガイドレールは互いに対応することができる。
【００６９】
方法の改良形態において、特に、押し出し操作は、組み立て角度に沿って行い、挿入方向に対向され、組み立て角度は、３０°から１５０°であり、好ましくは、４５°から１３５°であり、特に好ましくは、８０°から１００°であり、さらに特に好ましくは９０°であってよい。
【００７０】
コーディングハウジングの回転し関して、バヨネット式組み立て形態の接続装置を提供することができる。
【００７１】
本発明による方法の有利な改良形態において、他の組み立てステップにおいて、少なくとも一つのコンタクトボディは、挿入方向においてコーディングハウジングとプラグボディ中の対応する凹部を介して導入され、コーディングハウジングとプラグボディとの間の相対位置が固定されるようにすることができる。
【００７２】
本発明による電気コネクタの微調整は、有利には、少なくとも一つのコンタクトボディを使用することによって、または少なくとも一つのコンタクトボディを導入することによって行うことができる。
【００７３】
その改良形態において、少なくとも一つのコンタクトボディは、プラグボディの凹部にプレス、ハンダ付け、溶接、融着及び/または接着することができる。
【００７４】
好ましくは、少なくとも一つの（好ましくは、コンタクトスリープスリーブである）コンタクトボディは、プラグボディの凹部に圧入されることが好ましい。
【００７５】
ここで、コンタクトボディがプラグボディに固定される方法は、少なくとも一つのコンタクトボディが、以下の態様で導入されることほど重要ではない。少なくとも一つのコンタクトボディとプラグボディの対応する圧入接続（及び/または接着接続）が、コンパチブルコネクタが引き抜かれる場合にコンタクトボディに作用する牽引力を超えるように、少なくとも一つのコンタクトボディが導入される。従って、プラグボディのコンタクトボディをプラグボディの適した位置にしっかりと保持することができる。
【００７６】
一つの改良形態において、更なる組み立てステップにおいて、少なくとも一つの内部導体部は、プラグボディを通り、また少なくとも一つのコンタクトボディによって受け入れることができる。
【００７７】
更なる組み立てステップにおいて、電気コネクタは、電気アセンブリに固定されることができる。例えば、出力側接点をプリント回路基板にハンダ付けるか、電気ケーブルに圧接することにより、電気的コンタクトを同時に作成することができる。
【００７８】
原則として、電気コネクタの設計に応じて、説明された組み立てステップと異なる順番を提供することもできる。例えば、プラグボディは、電気アセンブリに既にプレインストールされていてよい。
【００７９】
本発明は、上述した実施例の電気コネクタと、電気コネクタのコーディングハウジングに電気的に及び機械的に接続するコンパチブルコネクタと、電気コネクタのプラグボディに電気的に及び機械的に接続する電気アセンブリとを含むコネクタシステムを含む。
【００８０】
本発明、本発明による電気コネクタ、本発明による方法と本発明によるコネクタシステムは、車輌において特に有利に使用することができる。ここで、「車輌」という用語は、特に陸上車輌、船舶または航空機のような、宇宙船を含むあらゆる輸送手段を説明する。
【００８１】
「備える」、「含む」または「有する」という用語は、他の特徴またはステップを除外しないことに注意すべきである。なお、用語「一つ」または「前記」は、単一のステップまたは特徴を意味することを意図しているが、複数のステップまたは特徴を排除するものではない。
【図面の簡単な説明】
【００８２】
【図１】本発明に係るコネクタシステムを模式的に示す側面図であり、上記コネクタシステムは、本発明の一つの実施例の電気コネクタを含み、電気コネクタは、コーディングハウジングとプラグボディを有する角度を付けられたプリント回路基板コネクタとして、コンパチブルコネクタとプリント回路基板も含む。
【図２】図１の本発明に係る電気コネクタを模式的に示す正面図であり、モジュール方式で交換可能なコーディングハウジングを有する。
【図３】図１の本発明に係る電気コネクタの側面図を模式的に示し、具体的に、コーディングハウジングをプラグボディ装着するための代替的な組み立て移動である。
【図４】第２実施例における本発明に係る電気コネクタの正面図を模式的に示し、具体的に、コーディングハウジングをプラグボディに装着するための他の例示的な組み立て移動である。
【図５】一実施例における本発明に係る電気コネクタがストレートプリント回路基板コネクタとしての側面図を模式的に示す。
【図６】一実施例における本発明に係る電気コネクタがケーブルプラグとしての側面図を模式的に示す。
【図７】一実施例における本発明に係る電気コネクタがアダプタコーディングハウジングを有するアダプタとしての側面図を模式的に示す。
【図８】一実施例における本発明に係る電気コネクタが装置プラグとしての側面図を模式的に示す。
【図９】図１の本発明に係る電気コネクタの平面図を模式的に示す。
【図１０】コーディングハウジングのガイドレールを示すための図９の詳細「Ｘ」の拡大図を模式的に示す。
【図１１】プラグボディのガイドレールを示すための図９の詳細「ＸＩ」の拡大図を模式的に示す。
【図１２】コンタクトボディを導入する組み立てステップの間の図１の電気コネクタの断面図を模式的に示す。
【図１３】完全に導入されたコンタクトボディを有する図１２の電気コネクタの断面図を模式的に示す。
【図１４】プリント回路基板に部分的にハンダ付けられ、内部導体を導入する図１３の本発明に係る電気コネクタの断面図を模式的に示す。
【発明を実施するための形態】
【００８３】
添付の図面を参照して本発明の例示的な実施例を説明する。図面は、本発明の様々な特徴が組み合わされて示された好ましい例示的な実施例をそれぞれ示している。一つの例示的な実施例の特徴は、同じ例示的な実施例の他の特徴とは独立して実現することができ、そして当業者によって、容易に他の例示的な実施例の特徴と組み合わせられて、さらに好都合な組み合わせ及びそのサブコンビネーションを形成することができる。図面において、同じ機能を有する要素には同じ参照番号が付される。図１は、本発明に係るコネクタシステム１を示し、コネクタシステム１は、本発明に係る電気コネクタ２と、本発明に係る電気コネクタ２のコーディングハウジング４に電気的に及び機械的に接続するコンパチブルコネクタ３と、及びプリント回路基板として設計され（破線で示す）、本発明に係る電気コネクタ２のプラグボディ６に電気的に及び機械的に接続する電気アセンブリ５とを含む。
【００８４】
コンパチブルコネクタ３は、図中の矢印で示す挿入方向Ａに、軸線Ａｘに沿ってコーディングハウジング４に接続することができる。軸Ａｘは、（例示的な実施例に示されるように）コーディングハウジング４の長手方向軸であることが好ましい。
【００８５】
コンパチブルコネクタ３は、図１の例示的な方法を介して破線でコンパチブルコネクタ３を示している。本発明に係る電気コネクタ２が完全に組み立てられると、コンパチブルコネクタ３は、通常、本発明に係る電気コネクタ２にのみ接続される。コンパチブルコネクタ３は、図１の電気コネクタ２の組み立てられない状態で示されたが、これはただ単に説明の目的のためであり、かつコネクタシステムを完全に説明するためである。
【００８６】
例示的な実施例において、コンパチブルコネクタ３とコーディングハウジング４とも互いにラッチ接続されるラッチ手段７を有する。しかし、原則的には、ラッチ手段を省略してもよく、または他の方法にラッチ手段を設計してもよい。本発明に係る電気コネクタ２のコーディングハウジング４は、可能な限り最適の方法にて電気信号（データと電力）を転送し、コンパチブルコネクタ３のみが本発明に係る電気コネクタ２に差し込まれるために、コンパチブルコネクタ３またはコンパチブルコネクタ３のコーディングハウジングに対応される機械的なコーディングと電気的配置を有することができる。
【００８７】
図１の実施例のプラグボディ６は、プリント回路基板５に電気的に及び機械的に接続するために設計される。電気的及び機械的な接続は、ハンダ付けのような接触によって実現することができる（図１４を参照）。本発明に係る電気コネクタ２は、通常、組み立て後にのみ電気アセンブリまたはプリント回路基板５に接続される。プリント回路基板５は、図１における本発明に係る電気コネクタ２の組み立てられていない状態の説明の目的のために実質的に示されている。
【００８８】
コーディングハウジング４とプラグボディ６は、挿入方向Ａにおいてインターロック方式にてコーディングハウジング４とプラグボディ６を互いに接続すべく設計された機械的接続装置８を有し、ここで、機械的接続装置８は、挿入方向Ａと異なる組み立て移動Ｂ（図面では対応する矢印で示す）を予め指定する。機械的接続装置８は、コーディングハウジング４の接続面１３とプラグボディ６の接続面１３の領域内にそれぞれ配置され、コーディングハウジング４とプラグボディ６は、互いに機械的に接続されることが意図される。
【００８９】
従って、本発明に係る電気コネクタ２の組み立て方法の過程において、コーディングハウジング４は、一つの組み立てステップでプラグボディ６に機械的に接続されることができるが、通常、第１の組み立てステップに必ずしも必要ではない。この場合、コーディングハウジング４とプラグボディ６との間に機械的接続を確立するための組み立てステップは、組み立て移動Ｂを含み、組み立て移動Ｂを介して、コーディングハウジング４とプラグボディ６は、コンパチブルコネクタ３の挿入方向Ａにおいてインターロック方式にて互いに接続される。
【００９０】
組み立て移動Ｂは、コーディングハウジング４をプラグボディ６に押し出すこと及び/またはコーディングハウジング４をプラグボディ６に対して回転させることを含み得る。例示的な実施例では、押し出し操作の好ましい変形例のみが示されているが、それらは限定的なものとして解釈されるべきではない。
【００９１】
例示的な実施例において、機械的接続装置８は、レールシステムとして設計され、ここで、コーディングハウジング４とプラグボディ６は、ガイドレール９、１０を有し、ガイドレール９、１０は、互いに対応し、共にレールシステムを形成し、かつ機械的接続装置８を形成する。従って、レールシステムを使用して、コーディングハウジング４がプラグボディ６に押し付けられる。プラグボディ６の隠れたガイドレール１０の一つは、図１に破線で示される。
【００９２】
装着移動Ｂまたはコーディングハウジングのプラグボディへの押し付けは、組み立て角度αに沿って行われ、ここで、挿入方向Ａに対して、組み立て角度αは、３０°から１５０°であり、好ましくは、４５°から１３５°であり、特に好ましくは、８０°から１００°であり、さらに特に好ましくは、９０°である。例示的な実施例において、９０°の組み立て角度αが常に使用され、これは挿入方向Ａにおけるインターロック接続に特に適することが判明している。しかし、これは限定として解釈されるべきではない。原則として、任意の所望の組み立て角度αを提供することができる。唯一の重要な要素は、押し出し操作または組み立て移動Ｂは、コンパチブルコネクタ３の挿入方向Ａに生じないことである。原則として、押し出し操作は特定の組み立て経路に沿って実行することもでき、例示的な実施例に示すように厳密な線形プロファイルを有する必要はない。
【００９３】
図１のコネクタシステム１から分離した図１に示される本発明に係る電気コネクタ２の正面図は、図２に示される。図２は、プラグボディ６がそれぞれ二つの平行に延びたガイドレール１０を有して、二つのガイドレール１０がプラグボディ６の接続面１３の反対の両端で延びることを示し、二つのガイドレールは、コーディングハウジング４のガイドレール９に対応し、ガイドレール９は、対応して平行に延びて、同じく接続面１３の反対の端（図示せず）に配置される。二つのガイドレール９、１０がそれぞれ使用されるために、特に適切なガイドレールを提供することができる。図９から図１１に、レールシステムとガイドレール９、１０及びそれらの配置を特に明確に示し、以下、それについて説明する。
【００９４】
なお、少なくとも一つのコンタクトボディ１２の凹部１１がコーディングハウジング４とプラグボディ６に設置され、以下、それについて説明し、好ましくは、凹部は、コーディングハウジング４の端部位置で互いに対向する。
【００９５】
図２は、さらに、本発明に係る電気コネクタ２の他の利点を示す。電気コネクタ２は、二つの部分にて設計されることにより依然として強固であり、本発明に係る電気コネクタ２は、モジュール構造システムに用いられ、ここで、フィッタは、非常に容易に複数の異なるコーディングハウジング４から必要なコーディングハウジング４を選択して、機械的接続装置８を介してコーディングハウジングをプラグボディ６に接続させることができる。この場合、少なくとも一つのコンタクトボディ１２の凹部１１の位置は対応することが好ましいが、必ずしも必要ではない。例によると、四重設計または四つのコンタクトボディ１２と共に使用するために設置されたコーディングハウジング４以外に、フィッタは、二つのコンタクトボディ１２と共に使用されるように設置されたコーディングハウジング４を選択することもできることが分かる。なお、機械的なコーディングは、異なるコーディングハウジング４を区別することができ、それにより、フィッタは、コンパチブルコネクタ３との互換性を容易に決定することができる。
【００９６】
原則として、組み立て移動Ｂ、特にレールシステムに沿った押し出し操作は、任意の所望の方向（挿入方向Ａまたは挿入方向Ａと反対する方向を除く）で行うことできる。これは、図３と図４で例示的に示される。
【００９７】
図３において、コーディングハウジングは、同じく、挿入方向Ａに対して９０°の組み立て角度で押されるが、図１の方向とは反対である。
【００９８】
図４は、側面から押し出し操作による組み立て移動Ｂの変形例を示し、ここで、図１から図３に比べて、レールシステムは、９０°回転されている。組み立て移動Ｂは、実施例において、挿入方向Ａに対して直交または９０°の組み立て角度αで行われる。原則として、レールシステムは、任意の所望の角度にてコーディングハウジング４の接続面１３とプラグボディ６にそれぞれ向けることができる。
【００９９】
上述したように、本発明と本発明に係る電気コネクタ２は、多数の用途にそれぞれ好適である。例えば、図１から図４の角度実施例で示された本発明に係る電気コネクタ２のプラグボディ６は、直線状の実施例で設計されることもできる。直線状の実施例は、図５から図８で示す。
【０１００】
図５は、回路基板５（ここで図示せず）に電気的に及び機械的に接続するように設計されたストレートプリント回路基板コネクタを示す。
【０１０１】
図６は、プラグとして設計されて、電気アセンブリに電気的に及び機械的に接続するための電気コネクタ２を示し、電気アセンブリは、電気ケーブル１４として設計される。言うまでもなく、プラグ、ソケットまたはカプラ以外に、電気ケーブル１４に接続することもできる。
【０１０２】
図７は、アダプタとしての電気コネクタ２を示し、ここで、プラグボディ６は、アダプタ部１５として設計された電気アセンブリへの電気的及び機械的接続として実現される。この場合、アダプタ部１５は、アダプタコーディングハウジングであり、例えば、コーディングハウジング４と異なる機械的なコーディング、及び/または電気的配置を有して、アダプタの方法にて相補コネクタ（図示せず）をコンパチブルコネクタ３に接続するようにする。この場合、特にアダプタ部１５とプラグボディ６とが第２接続装置（図示せず）を形成することにより、アダプタ部１５をプラグボディ６に接続するように決めることもできる。しかし、プラグボディ６は、アダプタ部１５と一体に形成されてもよく、または他の方法にてアダプタ部１５に接続されてもよい。
【０１０３】
図８は、最後に本発明に係る電気コネクタ２をハウジングプラグとして示し、ここで、プラグボディ６は、デバイスハウジング１６として設計された電気アセンブリへの電気的及び機械的接続として実現される。
【０１０４】
図９は、図１のコネクタシステム１の電気コネクタ２の別個の平面図を示し、それにより機械的接続装置８とレールシステムを特に明確に示す。上述したように、コーディングハウジング４とプラグボディ６は、それぞれ二つのガイドレール９、１０を有し、それらは平行にかつ接続面１３の反対の両端に延びる。図１０と図１１は、コーディングハウジング４のガイドレール９とプラグボディ６のガイドレール１０の対応する拡大図をそれぞれ示す。
【０１０５】
原則として、任意の所望のガイドを提供することができるが、レールシステムが特に適している。最後に、レールシステムは、例えば、図９から図１１に示すように、相互係合要素として、またはガイドレール１０を有するプラグボディ６を介してほぼ任意の所望の方法にて実現することができ、ここで、ガイドレール１０は、クランプ状に、コーディングハウジング４のガイドレール９の対応するグルーヴ１７の後部に配置かつ結合される。Ｔ字形ウェブも可能であり、Ｔ字形ウェブは、マッチング部の対応するグルーヴの後ろに係合することを可能にする。
【０１０６】
図９と図１０に示すように、コーディングハウジング４のガイドレール９は、端部ストッパー１８を有し、端部ストッパー１８は、組み立て移動Ｂのためにプラグボディ６上のコーディングハウジング４の端部位置を限定する。原則として、機械的接続装置８は、任意の所望の端部ストッパー１８を含むこともできる。また、プラグボディ６またはコーディングハウジング４が端部ストッパーを有するように設置することもできる。
【０１０７】
図１２は、他の組み立てステップを示し、コーディングハウジング４とプラグボディ６との間に機械的接続を確立するこの組み立てステップに従うことは好ましいが必ずしも従う必要はない。この場合、コンタクトボディ１２は、コーディングハウジング４とプラグボディ６の対応する凹部１１を通って、挿入方向Ａにて電気コネクタ２に導入されて、コーディングハウジング４とプラグボディ６との間の相対位置を固定するようにする。図２において正面図に対応する凹部１１を明確に示し、図２は、上述した説明通りである。図１２は、電気コネクタ２に装着された第１コンタクトボディ１２を示し、第２コンタクトボディ１２は未装着の位置にある。
【０１０８】
すべてのコンタクトボディ１２は、図１３における電気コネクタ２に装着される。コーディングハウジング４とプラグボディ６は、機械的接続装置８を介して挿入方向Ａにインターロックの方法にて互いに接続されているため、レールシステムと機械的接続装置８は、コンタクトボディ１２の挿入または別個のコンタクトボディ１２の挿入によってそれぞれブロックすることができ、それによりコーディングハウジング４とプラグボディ６との間の位置はすべての方向で決められる。原則として、コーディングハウジング４及び/またはプラグボディ６は、一つから十個のコンタクトボディを受け入れるように設計され、好ましくは、二つから六つのコンタクトボディを受け入れるように設計され、さらに特に好ましくは、四つのコンタクトボディを受け入れるように設計される。
【０１０９】
少なくとも一つのコンタクトボディ１２は、プラグボディ６またはそのソケット１１にプレス、ハンダ付け、溶接、融着及び/または接着されることにより導入される。好ましくは、少なくとも一つのコンタクトボディ１２は、プラグボディ６または関連するソケット１１に押し込まれる。
【０１１０】
図示のように、コンタクトボディ１２の断面は、プラグボディ６のソケット１１へのコンタクトボディ１２の押し込みを制限するストッパーが形成されるような階段状の設計を有することができる。
【０１１１】
少なくとも一つのコンタクトボディ１２は、管状形状の外部導体またはコンタクトスリーブとして、また少なくとも少なくとも一つの内部導体部１９（図１４を参照）をそれぞれ受け入れるように設計することが好ましい。例示的な実施例において、外部導体または接地導体として設計されたコンタクトボディ１２がプラグボディ６と共にプレスされるように設計され、プラグボディ６は、好ましくは金属製であり、特に好ましくは、ダイカスト亜鉛部である。従って、後述する内部導体部１９をシールドする外部導体（以下に説明する）をプラグボディ６に電気的に接続した後、プリント回路基板５のグランド線または電気ケーブル１４の外部導体のような電気アセンブリに電気的に接続することができる。
【０１１２】
好ましい更なる組み立てステップにおいて、一つの内部導体部１９または複数の内部導体部１９は、電気コネクタ２に導入することができる。内部導体部は、好ましくは、コンタクトボディ１２に押し込まれ、プラグボディ６の後ろ側から見ると、コンタクトボディ１２はコンタクトスリーブとして設計されている。内部導体部１９は、直線状または傾斜状の電気コネクタ２としての電気コネクタ２の実施例に応じて、同じく直線状または傾斜状の設計であってもよい。複数の内部導体部１９の間に電気絶縁を確立するために誘電体（図示せず）を設けることが好ましい。
【０１１３】
そして、このように組み立てられた本発明に係る電気コネクタ２は、通常、電気アセンブリに電気的に及び機械的に接続され、この場合、電気アセンブリは、プリント回路基板５である。これを既に図１４に示している。この場合、接地接続は、まずプラグボディ６のコンタクト脚部２０とプリント回路基板５をハンダ付けして確立され、それによりプラグボディ６は受け入れた内部導体部分１９を電気的にシールドすることができ、このような方法にて外部導体のコンタクトボディ１２に接続するように設計することができる。なお、内部導体部１９は、プリント回路基板５の対応する導体トラック（図示せず）に接続（例えば、ハンダ付け）することができる。
【０１１４】
本発明のいくつかの実施例によると、以下の例も提供される。
【０１１５】
例１：電気コネクタ２であって、コンパチブルコネクタ３に電気的に及び機械的に接続するコーディングハウジング４を含み、また電気アセンブリ５、１４、１５、１６に電気的に及び機械的に接続するプラグボディ６を含み、コンパチブルコネクタ３は、挿入方向Ａに沿ってコーディングハウジング４に接続されることができ、ここで、コーディングハウジング４とプラグボディ６は機械的接続装置を有し、ここで、機械的接続装置８は、コーディングハウジング４とプラグボディ６を挿入方向Ａにおいてインターロック方式にて互いに接続するように設計され、ここで、機械的接続装置８は、挿入方向Ａと異なる組み立て移動Ｂを予め指定することにより、コーディングハウジング４とプラグボディ６を互いに接続させる。
【０１１６】
例２：例１に記載の電気コネクタ２において、ここで、機械的接続装置８は、レールシステムを含み、ここで、コーディングハウジング４とプラグボディ６は、それぞれ少なくとも一つのガイドレール９、１０を有し、これらのガイドレールは互いに対応し、また共にレールシステムを形成する。
【０１１７】
例３：例２に記載の電気コネクタ２において、ここで、反相対側に位置され、平行に、かつ反対側において延びた二つのガイドレール９、１０は、それぞれコーディングハウジング４とプラグボディ６に配置される。
【０１１８】
例４：例１から３のいずれか一つに記載の電気コネクタ２において、ここで、機械的接続装置８は、端部ストッパー１８を含み、端部ストッパー１８は、組み立て移動Ｂのためにプラグボディ６上のコーディングハウジング４の端部位置を決める。
【０１１９】
例５：例１から４のいずれか一つに記載の電気コネクタ２において、ここで、組み立て移動Ｂは、組み立て角度αに沿って行い、ここで、組み立て角度αは、挿入方向Ａに対して３０°から１５０°であり、好ましくは、４５°から１３５°であり、特に好ましくは、８０°から１００°であり、さらに特に好ましくは、９０°である。
【０１２０】
例６：例１から５のいずれか一つに記載の電気コネクタ２において、ここで、少なくとも一つのコンタクトボディ１２の凹部１１がコーディングハウジング４とプラグボディ６に設置されて、コーディングハウジング４を介して少なくとも一つのコンタクトボディ１２を挿入方向Ａに沿ってプラグボディ６に導入するようにし、コンタクトボディ１２と凹部１１が提供されて、コーディングハウジング４とプラグボディ６をコンタクトボディ１２の導入を介してそれぞれ互いに関する位置に固定するようにする。
【０１２１】
例７：例６に記載の電気コネクタ２において、ここで、プラグボディ６は、一つまたは複数の内部導体部１９を受け入れるように設計され、ここで、少なくとも一つのコンタクトボディ１２は、管状形状の外部導体のように、また複数の内部導体部１９中の少なくとも一つを受け入れるように設計される。
【０１２２】
例８：例１から７のいずれか一つに記載電気コネクタ２において、ここで、内部導体部１９を囲む絶縁材料層は、少なくともプラグボディ６に導入される。
【０１２３】
例９：例６から８のいずれか一つに記載の電気コネクタ２において、ここで、コーディングハウジング４及び/またはプラグボディ６は、一つから十個のコンタクトボディ１２を受け入れるように設計され、好ましくは、二つから六つのコンタクトボディ１２を受け入れるように設計され、さらに特に好ましくは、四つのコンタクトボディ１２を受け入れるように設計される。
【０１２４】
例１０：例６から９のいずれか一つに記載の電気コネクタ２において、ここで、少なくとも一つのコンタクトボディ１２は、円形、長方形の断面を有することができる。
【０１２５】
例１１：例１から１０のいずれか一つに記載の電気コネクタ２において、ここで、プラグボディ６に少なくとも一つのコンタクトボディ１２のための接触端部ストッパーを設置することができる。
【０１２６】
例１２：例１から１１のいずれか一つに記載の電気コネクタ２において、ここで、コーディングハウジング４の凹部１１がプラグボディ６の凹部１１より大きい直径を有する場合、少なくとも一つのコンタクトボディ１２の断面は、プラグボディ６の方向に徐々に減少されて、接触端部ストッパーが形成される。
【０１２７】
例１３：例６から１２のいずれか一つに記載の電気コネクタ２において、ここで、プラグボディ６は、金属製であり、好ましくは、ダイカスト亜鉛部であり、また少なくとも一つのコンタクトボディ１２と導電接続する。
【０１２８】
例１４：例１から１３のいずれか一つに記載の電気コネクタ２において、ここで、プラグボディ６は、電気アセンブリに電気的に及び機械的に接続するように設計され、電気アセンブリは、プリント回路基板５、電気ケーブル１４、アダプタ部１５、またはデバイスハウジング１６として設計される。
【０１２９】
例１５：例１から１４のいずれか一項に記載の電気コネクタ２において、ここで、電気アセンブリは、アダプタコーディングハウジングであり、アダプタコーディングハウジングは、機械的なコーディングを有し、対応する電気コネクタ２をその中に挿入することができる。
【０１３０】
例１６：例１から１５のいずれか一つに記載の電気コネクタ２において、ここで、コーディングハウジング４は、コンパチブルコネクタ３とラッチ接続するラッチ手段７を有する。
【０１３１】
例１７：電気コネクタ２を組み立てる方法であって、電気コネクタ２は、コンパチブルコネクタ３に電気的に及び機械的に接続するコーディングハウジング４と、電気アセンブリ５、１４、１５、１６に電気的に及び機械的に接続するプラグボディ６を有し、ここで、一つの組み立てステップにおいて、コーディングハウジング４は、プラグボディ６に機械的に接続し、ここで、コーディングハウジング４とプラグボディ６との間に機械的接続を確立するための組み立てステップは、プラグボディ６に対するコーディングハウジング４の組み立て移動Ｂを含み、組み立て移動Ｂを介して、コーディングハウジング４とプラグボディ６は、コンパチブルコネクタ３の挿入方向Ａにおいてインターロック方式にて互いに接続する。
【０１３２】
例１８：例１７に記載の方法において、ここで、組み立て移動Ｂは、コーディングハウジング４をプラグボディ６に押し出すこと及び/またはコーディングハウジング４をプラグボディ６に対して回転させることを含む。
【０１３３】
例１９：例１８に記載の方法において、ここで、レールシステムを使用して、コーディングハウジング４をプラグボディ６に押し出し、ここで、コーディングハウジング４とプラグボディ６は、それぞれ少なくとも一つのガイドレール９、１０を有し、ガイドレールは互いに対応する。
【０１３４】
例２０：例１８または１９に記載の方法において、ここで、押し出し操作は、組み立て角度αに沿って行い、ここで、挿入方向Ａに対向され、組み立て角度αは、３０°から１５０°であり、好ましくは、４５°から１３５°であり、特に好ましくは、８０°から１００°であり、さらに特に好ましくは９０°である。
【０１３５】
例２１：例１７から２０のいずれか一つに記載の方法において、ここで、他の組み立てステップにおいて、少なくとも一つのコンタクトボディ１２は、挿入方向Ａにてコーディングハウジング４とプラグボディ６中の対応される凹部１１を介して導入され、コーディングハウジング４とプラグボディ６との間の相対位置が固定されるようにする。
【０１３６】
例２２：例１７から２１のいずれか一つに記載の方法において、ここで、少なくとも一つのコンタクトボディ１２は、プラグボディ６の凹部１１にプレス、ハンダ付け、溶接、融着及び/または接着される。
【０１３７】
例２３：例１７から２２のいずれか一つに記載の方法において、ここで、更なる組み立てステップにおいて、少なくとも一つの内部導体部１９は、プラグボディ６を通り、また少なくとも一つのコンタクトボディ１２によって受け入れる。
【０１３８】
例２４：例１７から２３のいずれか一項に記載の方法において、ここで、内部導体部１９を囲む絶縁材料層は、少なくともプラグボディ６に導入され、絶縁材料層は、少なくとも一つの内部導体部１９を定位置に保持する。
【０１３９】
例２５：コネクタシステム１であって、例１から１６のいずれか一つに記載の電気コネクタ２と、電気コネクタ２のコーディングハウジング４に電気的に及び機械的に接続するコンパチブルコネクタ３と、及び電気コネクタ２のプラグボディ６に電気的に及び機械的に接続する電気アセンブリ５、１４、１５、１６とを含む。
【図１】
2019071272.tif 000003
【図２】
2019071272.tif 000004
【図３】
2019071272.tif 000005
【図４】
2019071272.tif 000006
【図５】
2019071272.tif 000007
【図６】
2019071272.tif 000008
【図７】
2019071272.tif 000009
【図８】
2019071272.tif 000010
【図９】
2019071272.tif 000011
【図１０】
2019071272.tif 000012
【図１１】
2019071272.tif 000013
【図１２】
2019071272.tif 000014
【図１３】
2019071272.tif 000015
【図１４】
2019071272.tif 000016
【外国語明細書】
2019071272000001.pdf